(57)【要約】【課題】電位治療後に残る湯当りのような不快感が残らない電位治療器を提供すること。【解決手段】電位治療器は、交流電源に接続される電位発生器と、該電位発生器に接続され、人体に接触して人体に電位を与える出力端子とを具備する。そして、該電位治療器の使用終了時に、前記出力端子に印加される電圧を漸次低下させる手段を具備することを特徴とする。【効果】電位治療後に残る湯当りのような不快感が軽減された電位治療器が初めて提供された。【選択図】図１
2007111196.tif 000002
【特許請求の範囲】
【請求項１】
交流電源に接続される電位発生器と、該電位発生器に接続され、人体に接触して人体に電位を与える出力端子とを具備する電位治療器において、該電位治療器の使用終了時に、前記出力端子に印加される電圧を漸次低下させる手段を具備することを特徴とする電位治療器。
【請求項２】
前記電圧を漸次低下させる手段は、複数の異なる電圧を発生する複数の端子を具備する前記電位発生器である高電圧トランスと、タイマーと連動して、接続される端子を前記複数の端子の中で高電圧を発生する端子から順次低電圧の端子に切り換えるリレー式タップ切換え回路とで構成される請求項１記載の電位治療器。
【請求項３】
前記電圧を漸次低下させる手段は、タイマーと、該タイマーに接続された電圧制御回路と、該電圧制御回路と接続され、前記電位発生器である高電圧トランスによる発生電圧を変化させる可変出力インバータにより構成される請求項１記載の電位治療器。
【請求項４】
前記出力端子は、網状のシートの形態にある請求項１ないし３のいずれか１項に記載の電位治療器。
【発明の詳細な説明】
【技術分野】
【０００１】
本発明は、電位治療器に関する。
【背景技術】
【０００２】
電位治療器は、人体に約８００Ｖ〜数千Ｖの電圧をかけることにより、頭痛、肩こり、慢性便秘等に対する治療効果を発揮するもので、家庭用の交流１００Ｖ電源を用いるものも市販されている。マット状の電極を組み込んだマットタイプのものも市販されており、使用者は、マットの上に横たわり、高電圧をかける。あるいは、マットを敷いてその上に足だけを乗せて使用する（特許文献１、２）。
【０００３】
【特許文献１】特開2005-21465号公報
【特許文献２】特開2000-42123号公報
【発明の開示】
【発明が解決しようとする課題】
【０００４】
従来の電位治療器では、使用後、電圧を切った後に湯当りのような不快感が残る場合があることが知られている。
【０００５】
本発明の目的は、電位治療後に不快感が残らない電位治療器を提供することである。
【課題を解決するための手段】
【０００６】
本願発明者は、鋭意研究の結果、電圧を切った後に湯当りのような不快感が残る１つの大きな原因は、人体にかけられている高電圧を瞬時に切ることに起因しており、高電圧をいきなり切るのではなく、漸次電圧を低下させていくことにより不快感が大きく改善されることを見出し本発明を完成した。
【０００７】
すなわち、本発明は、交流電源に接続される電位発生器と、該電位発生器に接続され、人体に接触して人体に電位を与える出力端子とを具備する電位治療器において、該電位治療器の使用終了時に、前記出力端子に印加される電圧を漸次低下させる手段を具備することを特徴とする電位治療器を提供する。
【発明の効果】
【０００８】
本発明により、電位治療後に残る湯当りのような不快感が軽減された電位治療器が初めて提供された。
【発明を実施するための最良の形態】
【０００９】
上記の通り、本発明の電位治療器は、交流電源に接続される電位発生器と、該電位発生器に接続され、人体に接触して人体に電位を与える出力端子とを具備する電位治療器において、該電位治療器の使用終了時に、前記出力端子に印加される電圧を漸次低下させる手段を具備することを特徴とするものである。
【００１０】
上記の通り、電位治療器は、人体に約８００Ｖ〜数千Ｖの電圧をかけるものである。本発明の電位治療器では、使用終了時に、人体にかけられているこの高電圧を通常、数分ないし数十分、好ましくは数分ないし十数分かけて漸次低下させ、最終的に電源を切る（電圧は０Ｖ）ものである。電圧の漸次低下は、連続的な低下でも段階的な低下でもよい。段階的な低下の場合、通常、５０Ｖないし５００Ｖ刻み程度、好ましくは１００Ｖないし３００Ｖ刻み程度に段階的に電圧が低下される。なお、電圧低下の幅は等間隔である必要はなく、むしろ、低電圧になるにつれて低下される電圧の幅が小さくなることが好ましい。
【００１１】
出力端子に印加される電圧を漸次低下させる手段（以下、「電圧漸次低下手段」ということがある）自体は、当業者にとっては自明であり、種々の手段が可能である。例えば、複数の異なる電圧を発生する複数の端子を具備する前記電位発生器である高電圧トランスと、タイマーと連動して、接続される端子を前記複数の端子の中で高電圧を発生する端子から順次低電圧の端子に切り換えるリレー式タップ切換え回路とで構成されるものを例示することができる。これを模式的に記載したものを図１に示す。図１中、１０は、電位発生器である高電圧トランス、１２はタイマー、１４はリレー式タップ切換え回路、１６は回転スイッチ、１８はシート状の出力端子である。タイマーと連動するリレー式タップ切換え回路自体は周知である。高電圧トランス１０は、複数の異なる電圧を発生する複数の端子を具備し（図中、８００Ｖ、４００Ｖ、２００Ｖ及び１００Ｖの４種類の端子）、回転スイッチは、タイマーにより制御され、所定の時間が経過すると回転して、接続する端子を隣接する端子へと変更する（図１の例では図１中の矢印で示すように反時計回りに回転する）。これにより、電圧は段階的に低下される。最終的にはタイマー１２により電源が切られ、電圧は０Ｖになる。
【００１２】
電圧漸次低下手段の別の例を図２に示す。図２に示す例では、電圧漸次低下手段は、タイマー１２と、該タイマーに接続された電圧制御回路２０と、該電圧制御回路２０と接続され、前記電位発生器である高電圧トランス１０による発生電圧を変化させる可変出力インバータ２２により構成される。電圧制御回路２０及び可変出力インバータ２２自体は周知である。
【００１３】
上記のような、電圧漸次低下手段を具備することを除き、他の構成は従来の電位治療器と同様であってよい。家庭用の交流電源を電源として用いるものが利便性が高くて好ましい。また、出力端子としては、金属繊維やプラスチック繊維で形成した網状のシートや、これをマットに組み込んだもの等を好ましく用いることができる。電圧は、通常、８００Ｖないし数千Ｖである。
【００１４】
使用時には、まず、通常の方法、例えば、マット状の出力端子の場合には、その上に横たわったり、足を置いたりして、電位治療を行なう。電位治療後、上記した電圧漸次低下手段により徐々に電圧を下げて電源を切る（電圧が０Ｖになる）。このようにして、電圧を徐々に低下させることにより、高電圧による電位治療後に残る恐れがある不快感を効果的に防止することができる。
【図面の簡単な説明】
【００１５】
【図１】本発明の電位治療器の１実施例のブロック図である。
【図２】本発明の電位治療器の他の１実施例のブロック図である。
【符号の説明】
【００１６】
１０  電位発生器（高電圧トランス）
１２  タイマー
１４  リレー式タップ切換え回路
１６  回転スイッチ
１７  動作切換えタイマー
１８  シート状の出力端子
２０  電圧制御回路
２２  可変出力インバーター
【図１】
2007111196.tif 000003
【図２】
2007111196.tif 000004